(57)【要約】【課題】  本発明は、印刷物を掲示する場所の照明光源を印刷条件の一つとし、指定された照明光源に応じた補正を行って色再現性を良好にして印刷する構成に関するものである。ポスターなどの印刷物は、印刷物の掲示場所や指定した印刷条件を特定できない場合、間違った場所に掲示されてしまう。本発明は、ポスターなどの印刷物に不要な印刷を行うことなく、印刷物の掲示場所を特定可能とすることを目的とする。【解決手段】  印刷条件や印刷物を特定するための情報の印刷と、ポスターなどの画像の印刷とを可能とし、ロール紙上に連続して印刷可能とする。印刷条件や印刷物を特定するための情報を１つのページとして扱うことで、ポスターなどの画像上に不要な情報を残すことなく、必要な情報を印刷して残すことが可能となる。【選択図】  図１
2008146229.tif 000002
【特許請求の範囲】
【請求項１】
ロール紙上の全面に対して印刷を行う全面印刷が可能な印刷装置と、該印刷装置に接続されるホストとからなる印刷システムにおいて、
複数の印刷条件を指定できる設定手段と、
印刷物を特定する情報を入力する入力手段と、
前記印刷条件、印刷物を特定する情報のページを作成するページ作成手段と、
を有し、ロール紙上の前記全面印刷を行った領域外に、前記ページ作成手段によって作成した前記情報のページを印刷することを特徴とする印刷システム。
【請求項２】
前記印刷条件にはユーザーが観察する照明光源に応じて色処理を行うことができる照明光源情報を含み、前記印刷物を特定する情報には印刷物を掲示する掲示場所情報を含むことを特徴とする請求項１に記載の印刷システム。
【請求項３】
前記ロール紙を切断する切断手段をさらに有し、
印刷条件、前記印刷物を特定する前記情報をロール紙に印刷する場合に、前記切断手段による前記全面印刷を行った印刷物の切断を行わないことを特徴とする請求項１に記載の印刷システム。
【請求項４】
前記全面印刷を終了後に、印刷条件、印刷物を特定する前記情報と前記全面印刷により印刷した画像を縮小した縮小画像とを印刷することを特徴とする請求項１に記載の印刷システム。
【請求項５】
前記全面印刷を行った画像の縮小画像を印刷する場合、印刷条件に基づいた前記縮小画像と、指定された前記印刷条件に基づく画像の縮小画像とを印刷することを特徴とする請求項４に記載の印刷システム。
【請求項６】
複数枚の前記全面印刷を行う場合に、前記縮小画像の印刷を何枚まとめて印刷するかを選択する選択手段をさらに有し、
前記選択手段により選択された枚数の後に、前記縮小画像をまとめて印刷すること特徴とする請求項４に記載の印刷システム。
【請求項７】
前記ホスト装置は、前記印刷条件として設定された環境光に関する条件に基づく補正処理を行う補正手段をさらに有することを特徴とする請求項１に記載の印刷システム。
【請求項８】
ロール紙上の全面に対して印刷を行う全面印刷が可能な印刷装置と、該印刷装置に接続されるホストとからなる印刷システムにおける印刷制御方法であって、
複数の印刷条件を前記ホストにより設定する工程と、
前記印刷物を特定する情報を前記ホスト装置により入力する工程と、
前記印刷条件、印刷物を特定する情報のページを前記ホストにより作成するページ作成工程と、
印刷を行う画像に対応したデータと、前記ページ作成工程において作成した前記情報のページに対応したデータとを、前記ホストにより前記印刷装置に対して送信する送信工程と、
前記送信工程において前記ホストから送信されたデータに基づき前記印刷装置によりロール紙上に前記画像と前記情報のページとを印刷する工程と、
からなることを特徴とする印刷制御方法。
【請求項９】
前記ホスト装置は、前記印刷条件として設定された環境光に関する条件に基づく補正処理を行う補正工程をさらに有することを特徴とする請求項８に記載の印刷制御方法。
【発明の詳細な説明】
【技術分野】
【０００１】
本発明は、比較的大きなサイズ用紙に対して印刷する大判プリンタを備える印刷システムにおいて、補正処理を行って印刷が可能なシステムに関する。特に、本発明はポスターや広告物のようにＢ０、Ａ０サイズあるいはさらに大きな用紙に対して印刷する大判プリンタを備える印刷システムにおいて、掲示される環境や視認する環境に応じて補正処理を行って印刷が可能なシステムに関する。
【背景技術】
【０００２】
従来、印刷条件としては、印刷品質（はやい、標準、きれいなど）、色調整、部数、両面印刷などがあった。また、ユーザーが観察する照明光源を印刷条件として指定し、その照明光源の下での入力画像と印刷物の色再現性を一致させるような印刷条件もあった（例えば、特許文献１）。
【０００３】
また、用紙の縁の部分に白地が生じないように用紙の全面に対して印刷を行う（全面印刷、あるいはフチ無し印刷と称する）時、本来印刷する画像以外の印刷情報を印刷する方法として、特許文献２が知られている。特許文献２には、複数の人から複数ページのドキュメントを印刷した場合、出力された印刷物の用紙の向き、ページ順序などが乱れても用意に整列できるマークを印刷することが開示されている。また、フチ無し印刷時には裏面に前記マークを印刷することによって、フチ無し画像の仕上がりの美しさと整列の容易性を同時に実現できることが記載されている。
【特許文献１】特開平１１−２３２４４４号公報
【特許文献２】特開２００４−２０２８５２号公報
【発明の開示】
【発明が解決しようとする課題】
【０００４】
従来技術に記載されるように、ユーザーが観察する環境の照明光源を印刷条件として印刷した場合、印刷条件で指定した照明光源の下で入力画像と印刷物の色再現性が合うように補正されて印刷される。そのため、印刷物（例えばポスターなど）は、印刷する場所と掲示場所が異なる場合、照明光源または印刷物の掲示場所を特定しておかなければ、間違った場所に掲示されるという問題点があった。つまり、掲示される場所の照明光源、すなわち掲示される環境が特定できずに誤った場所に掲示された場合、印刷結果と掲示された環境が合わず、画像の色再現性が著しく低下してしまう可能性がある。
【０００５】
また、前述の特開２００４−２０２８５２号公報では、フチ無し印刷時、画像に影響を与えずに裏面に印刷情報を印刷する提案がなされており、裏面に照明光源または印刷物の掲示場所を印刷できれば、間違った場所に掲示されない。但し、ロール状の用紙を用いる大判プリンタでフチ無し印刷を行う場合、用紙が送り方向に連続しているため用紙の裏面に印刷することが非常に難しい。つまり、ロール状の用紙をカットした後に反転させるための構成、もしくは用紙を反転することなく用紙の裏面に対して印刷を行う機構が必要となり、結果として、プリンタのコストが上昇してしまうという問題点があった。
【０００６】
本発明は、上記説明した従来技術の課題を解決するためになされたものであり、照明光源のような使用環境を印刷条件として印刷した印刷物に対して、容易に照明光源または印刷物の掲示場所を特定できるように印刷を行うことを目的とする。特に、本発明は両面印刷のできないロール状の用紙に対して印刷を行う大判プリンタの構成で、環境光、照明光源のような使用状況を特定して補正を行って印刷をした印刷物に対して、印刷物を使用する場所や印刷物を掲示する場所を特定可能なように印刷を行うことを目的とする。
【課題を解決するための手段】
【０００７】
本発明は上述の課題を解決するため、ロール紙上の全面に対して印刷を行う全面印刷が可能な印刷装置と、該印刷装置に接続されるホストとからなる印刷システムにおいて、複数の印刷条件を指定できる設定手段と、印刷物を特定する情報を入力する入力手段と、前記印刷条件、印刷物を特定する情報のページを作成するページ作成手段と、を有し、ロール紙上の前記全面印刷を行った領域外に、前記ページ作成手段によって作成した前記情報のページを印刷することを特徴とする。
【０００８】
また、本発明は、ロール紙上の全面に対して印刷を行う全面印刷が可能な印刷装置と、該印刷装置に接続されるホストとからなる印刷システムにおける印刷制御方法であって、複数の印刷条件を前記ホストにより設定する工程と、前記印刷物を特定する情報を前記ホスト装置により入力する工程と、前記印刷条件、印刷物を特定する情報のページを前記ホストにより作成するページ作成工程と、印刷を行う画像に対応したデータと、前記ページ作成工程において作成した前記情報のページに対応したデータとを、前記ホストにより前記印刷装置に対して送信する送信工程と、前記送信工程において前記ホストから送信されたデータに基づき前記印刷装置によりロール紙上に前記画像と前記情報のページとを印刷する工程と、からなることを特徴とする。
【発明の効果】
【０００９】
以上説明したように本発明によれば、ポスターなどの掲示に用いられる印刷を行う大判プリンタの構成で、掲示される場所の照明光源を印刷条件として印刷した印刷物に対して、容易に照明光源や印刷物の掲示場所を特定することができる。
【発明を実施するための最良の形態】
【００１０】
（実施例１）
図１は、本発明の実施例１における印刷処理システムの概略構成を示すブロック図である。
【００１１】
図１の印刷処理システムでは、パーソナルコンピュータ等の上位装置１００と大判インクジェット方式等の画像形成装置（大判プリンタ）１０１とによって構成される。上位装置１００には、アプリケーション１とＯＳ２とプリンタドライバ３のみを図示している。通常印刷の流れを以下に示す。
【００１２】
上位装置内では、アプリケーション１が、各種のドキュメントを作成する。このドキュメントをプリンタに印刷するために、ＯＳ２及びプリンタドライバ３が動作する。
【００１３】
アプリケーションは、印刷前処理として、指定されている用紙サイズのピクセル数を含めた用紙情報をＯＳ２の用意している関数を用いて取得する。ＯＳ２はこの関数が呼ばれると、プリンタドライバ３の用意している初期設定用の印刷関数を呼び、用紙情報を取得して、アプリケーション１へ返す。そして、アプリケーション１は、取得した用紙情報に基づいたドキュメントに再構成し、ＯＳ２の用意している印刷用関数を用いて、印刷処理を行う。ＯＳ２は印刷用関数が呼ばれるとプリンタドライバ３の用意している印刷制御用関数（印刷開始、印刷終了など）とテキスト、グラフィック、イメージの描画関数などの印刷関数を呼ぶ。プリンタドライバ３は、これらの関数が呼ばれた後、プリンタの認識できる印刷データを作成して、プリンタに印刷データを送る。
【００１４】
本発明の印刷処理であるフチ無し印刷時、印刷条件（照明光源情報）と掲示場所情報をロール紙上に印刷する概略を、図１を用いて以下に示す。図１で、アプリケーション１はプリンタドライバ３のユーザーインターフェース部４を呼び、印刷条件（照明光源情報）と掲示場所情報を設定した後、ＯＳ２の用意している印刷用関数を用いて印刷を開始する。
【００１５】
ＯＳ２は印刷用関数が呼ばれるとプリンタドライバ３の用意している印刷関数を呼ぶ。プリンタドライバ３の印刷関数スプール部９では、印刷関数をスプールして、印刷関数スプールファイル１１に保存する。保存後、印刷関数リプレイ処理部１１を呼ぶ。印刷関数リプレイ処理部１１は、リプレイ処理部１２、印刷情報ページ作成部１３から構成される。リプレイ処理部１２では、印刷条件（照明光源情報）と掲示場所を印刷するかどうかを判別する。印刷しない場合には、まず、グラフィック処理部５に描画関数をリプレイして印刷処理を行わせる。
【００１６】
グラフィック処理部５において、描画処理部８では、グラフィック、イメージ、テキストなどの印刷関数を全てイメージに展開し、色処理部６で照明光源に基づいた処理を行う。そして、プリンタコマンド制御部９で、色処理されたイメージデータをプリンタの認識できるコマンドを追加して印刷データをプリンタに送る。
【００１７】
印刷条件（ここでは照明光源情報）と掲示場所を印刷する場合、リプレイ処理部１２はまず上記通常印刷を行う。その後、印刷情報ページ作成部１３において、印刷条件（照明光源情報）と掲示場所のテキストデータが印刷できる最小のユーザー定義用紙を作成して、新しい印刷ジョブデータとしての印刷関数を作成する。リプレイ処理部１２は新しく作成した印刷関数をリプレイして、印刷条件（照明光源情報）と掲示場所の印刷を行う。
【００１８】
この印刷情報ページ作成部１３は、プリンタ側にフチ無し印刷後にテキストデータのみ印刷できる機能があれば、プリンタコマンドを作成するだけで可能である。本実施例１では、両面へ印刷する機構を備えない大判プリンタの構成において、プリンタドライバの処理で行う方法を記載する。
【００１９】
図２では、ユーザーインターフェース部４の印刷条件（照明光源情報）と掲示場所情報を設定する画面２１を示す。この画面は、例えば上位装置であるホストコンピュータ１００に接続されるディスプレイに表示されるウィンドウ２１を例としている。このウィンドウ２１には、光源タイプを設定する欄２２、色温度を指定する欄２３、掲示場所を記入する欄２４などがある。また、設定した内容や記入した情報で決定するための決定ボタン２６、キャンセルを行うためのボタン２５などがウィンドウ２１内に配されている。照明光源情報は、光源タイプとして、一般的に照明光源に用いられている蛍光灯（高演色系、３波長系、普通系）などを指定する。同様に、一般的な照明光源の色温度範囲内で色温度も指定することが可能に構成されている。また、掲示場所情報として、店舗名、店舗内で掲示する場所などを指定する。なお、掲示場所の情報としては、欄内に文字列を入力する構成としてもよい。
【００２０】
以上のように、照明光源などの環境に関する条件を設定することで、印刷対象の画像データが補正されて印刷される。
【００２１】
図３では、ユーザーインターフェース部４の印刷条件（照明光源情報）と掲示場所情報の印刷方法を選択する画面３１を示す。印刷条件（照明光源情報）と掲示場所情報を印刷する場合には、「照明光源情報、掲示場所印刷」のチェックボックス３２を選択すると、「カットせずに印刷」のラジオボタン３３が有効になる。「カットせずに印刷」のラジオボタンをチェックすると「カットラインを印刷」のチェックボタン３４が有効になる。
【００２２】
図４では、図３のユーザーインターフェース部４で設定した印刷結果４２、４３を示す。図３の「カットせずに印刷」のラジオボタンにチェックして、「カットラインを印刷」のチェックボックスをチェックした場合、図中左側の例４２のようにカットライン４４を印刷した後、印刷条件（照明光源情報）と掲示場所情報４５を印刷する。また、「カットラインを印刷」のチェックしない場合、図中右側の例４３のようにカットラインを印刷せずに印刷条件（照明光源情報）と掲示場所情報４６を印刷する。
【００２３】
図５では、図３の画面を用いて「カットせずに印刷」に設定して印刷した場合の印刷関数リプレイ部１０における処理を説明する。
【００２４】
Ｓ１において、「照明光源情報、掲示場所印刷」がチェックされているかどうかを判別し、チェックされている場合は、Ｓ２へ移行する。また、「照明光源情報、掲示場所印刷」がチェックされていない場合は、Ｓ８へ移行する。
【００２５】
Ｓ２において、カットライン印刷がチェックされているかどうかを判別し、チェックされている場合は、Ｓ３へ移行し、チェックされていない場合は、Ｓ７へ移行する。
【００２６】
Ｓ３において、プリンタのカット設定コマンドが「カットライン印刷」になるように設定して、Ｓ４へ移行する。通常、ロール紙に印刷できる大判プリンタには、プリンタコマンドによって、印刷終了時に用紙をカットするか、用紙をカットしないか、用紙をカットしないでカットラインのみ印刷するかを指示できる。Ｓ４において、アプリケーションの印刷関数スプールファイル１１を、リプレイ処理部１２でリプレイ処理させて、通常のフチ無し印刷を行い、Ｓ５へ移行する。なお、このＳ４は、色処理部６により、指定された照明光源などの環境に従った補正処理を行った画像データに従い、印刷処理が実行される。
【００２７】
Ｓ５において、印刷情報ページ作成部１３で、ユーザー定義用紙を作成して、印刷条件（照明光源情報）と掲示場所情報のテキストデータを印刷する印刷関数を作成して、Ｓ６へ移行する。Ｓ６では、Ｓ５で作成した印刷関数をリプレイ処理部１２でリプレイ処理させて、印刷条件（照明光源情報）と掲示場所情報のテキストデータを印刷して終了する。
【００２８】
Ｓ７では、プリンタのカット設定コマンドが「カットしない」になるように設定して、Ｓ４へ移行する。
【００２９】
Ｓ１にて「照明光源情報、掲示場所印刷」がチェックされていない場合に移行するＳ８では、プリンタのカット設定コマンドが「カットする」になるように設定して、処理をＳ９へ移行する。Ｓ９では、アプリケーションの印刷関数スプールファイル１１を、リプレイ処理部１２でリプレイ処理させて、通常のフチ無し印刷を行い、終了する。このＳ９における印刷処理についても、Ｓ４と同様には、色処理部６により、指定された照明光源などの環境に従った補正処理を行った画像データに従って印刷処理が実行される。
【００３０】
以上のような処理により、設定された条件に従って補正された画像を印刷するとともに、指定された条件に従って印刷条件のテキストの印刷の有無、カットライン印刷の有無、が制御される。
【００３１】
（実施例２）
図６は、本発明の実施例２において、印刷処理システムの概略構成を示すブロック図である。この実施例２で説明する図６の構成は、実施例１で説明した図１とほぼ同じ構成となっている。図６に示す構成では、印刷条件（照明光源情報）と掲示場所を印刷する場合に、照明光源の色処理を行った縮小画像を印刷するため、縮小処理部１４と色処理部１５を、図１の構成に対して追加したものである。
【００３２】
この実施例２で、印刷条件（照明光源情報）と掲示場所を印刷する場合、リプレイ処理部１２はまず上記通常印刷を用紙カットありで行う。その後、縮小処理部１４は印刷関数スプールファイルをメモリにリプレイして縮小画像を作成し、その縮小画像に対して、色処理部１４で照明光源の色処理は行う。印刷情報ページ作成部１３において、印刷条件（照明光源情報）と掲示場所のテキストデータと縮小画像が印刷できる最小のユーザー定義用紙を作成して、新しい印刷ジョブデータとしての印刷関数を作成する。リプレイ処理部１２は新しく作成した印刷関数をリプレイして、印刷条件（照明光源情報）と掲示場所の印刷を行う。
【００３３】
図７では、ユーザーインターフェース部４の印刷条件（照明光源情報）と掲示場所情報の印刷方法を選択する画面７１を示す。印刷条件（照明光源情報）と掲示場所情報を印刷する場合には、「照明光源情報、掲示場所印刷」のチェックボックス７２を選択すると、「カットして縮小画像印刷」のラジオボタン７３が有効になる。「カットして縮小画像印刷」のラジオボタン７３をチェックすると「照明光源処理しない画像も印刷」のチェックボックス７４が有効になる。
【００３４】
図８では、図６のユーザーインターフェース部４で設定した印刷結果を示す。図７の「カットして縮小画像印刷」のラジオボタン７３にチェックして、「照明光源処理しない画像も印刷」のチェックボックス７４をチェックしない場合、図中左側の例８２、８４のように印刷される。フチ無し印刷後、用紙をカットし、照明光源処理した縮小画像８６、印刷条件（照明光源情報）と掲示場所情報を印刷する。
【００３５】
また、「照明光源処理しない画像も印刷」のボックス７４をチェックした場合、図中右側の８３、８５のように処理後の画像８７と照明光源処理しない縮小画像８８を印刷する。この処理後の画像８７は、８６の縮小画像と同様である。
【００３６】
本実施例における照明光源処理しない縮小画像の印刷は、極端な照明光源処理した画像をユーザーが一般光源で観察した場合に、ユーザーに対して補正処理を行ったことを示すめである。このように照明光源に合わせた補正処理を行った縮小画像８７と、補正処理を行わない縮小画像８８をユーザーに示すことで、ユーザーは印刷結果に何らかの補正処理が行われたことを認識することができる。
【００３７】
図９では、印刷関数リプレイ部１０において、図７の「カットして縮小画像印刷」に設定して印刷した場合のフローチャートを示す。
【００３８】
Ｓ１１において、プリンタのカット設定コマンドが「カットライン印刷」になるように設定して、Ｓ１２へ移行する。Ｓ１２において、アプリケーションの印刷関数スプールファイル１１を、リプレイ処理部１２でリプレイ処理させて、通常のフチ無し印刷を行い、Ｓ１３へ移行する。
【００３９】
Ｓ１３において、「照明光源情報、掲示場所印刷」がチェックされているかどうかを判別し、チェックされている場合は、Ｓ１４へ移行し、チェックされていない場合は、処理を終了する。
【００４０】
Ｓ１４において、縮小処理部１４は印刷関数スプールファイルをメモリにリプレイして縮小画像Ａを作成し、その縮小画像Ａに対して、色処理部１４で照明光源の色処理を行い、Ｓ１５へ処理を移行する。
【００４１】
Ｓ１５において、「照明光源処理しない画像も印刷」のチェックがされていかどうかの判別する。判別の結果、チェックされている場合はＳ１６へ移行し、チェックされていない場合は、Ｓ２０へ移行する。
【００４２】
Ｓ１６において、縮小処理部１４は印刷関数スプールファイルをメモリにリプレイして縮小画像Ｂを作成する。その縮小画像Ｂに対して、色処理部１４で照明光源は印刷条件で指定されて情報ではなく、ＣＩＥ（国際照明委員会）が規定する基準補助光源Ｄ５０として、色処理を行い、Ｓ１７へ移行する。
【００４３】
Ｓ７において、印刷情報ページ作成部１３で、ユーザー定義用紙を作成して、印刷条件（照明光源情報）と掲示場所情報のテキストデータと縮小画像Ａ，Ｂを印刷する印刷関数を作成して、Ｓ１８へ移行する。
【００４４】
Ｓ１８において、プリンタのカット設定コマンドが「カットライン印刷」になるように設定して、Ｓ１９へ移行する。Ｓ１９において、作成した印刷関数をリプレイ処理部１２でリプレイ処理させて、印刷条件（照明光源情報）と掲示場所情報のテキストデータ、縮小画像Ａ，Ｂを印刷して終了する。
【００４５】
Ｓ２０では、印刷情報ページ作成部１３で、ユーザー定義用紙を作成して、印刷条件（照明光源情報）と掲示場所情報のテキストデータと縮小画像Ａを印刷する印刷関数を作成して、Ｓ１８へ移行する。
【００４６】
以上のような処理により、図７に示す画面の設定に従った印刷処理が実行される。
【００４７】
（実施例３）
図１０は、本発明の実施例３において、印刷処理システムの概略構成を示すブロック図である。この実施例３で説明する図１０のブロック図は、実施例２にて説明した図６の構成をとほぼ同じである。図１０は、図６に対して、照明光源の色処理を行った複数の縮小画像及びテキストデータを印刷情報ファイル１６として保存する構成を追加したものである。
【００４８】
実施例３では、同じ画像を複数枚連続して行う場合に、ロール紙の節約と掲示場所特定の取り扱いを容易に行うために、縮小画像及び、照明光源または印刷物の掲示場所をまとめて印刷可能にするものである。
【００４９】
印刷条件（照明光源情報）と掲示場所を印刷する場合、まずリプレイ処理部１２はまず上記通常印刷を用紙カットありで行う。その後、縮小処理部１４は印刷関数スプールファイルをメモリにリプレイして縮小画像を作成し、その縮小画像に対して、色処理部１４で照明光源の色処理は行う。
【００５０】
縮小画像がユーザーインターフェース部４で指定されている用紙枚数分なければ、縮小画像と印刷条件（照明光源情報）と掲示場所情報を印刷情報ファイル１６に保存して終了する。
【００５１】
用紙枚数分あれば、印刷情報ページ作成部１３において、複数の印刷条件（照明光源情報）と掲示場所のテキストデータと縮小画像が印刷できる最小のユーザー定義用紙を作成して、新しい印刷ジョブデータとしての印刷関数を作成する。リプレイ処理部１２は新しく作成した印刷関数をリプレイして、印刷条件（照明光源情報）と掲示場所の印刷を行う。
【００５２】
図１１では、ユーザーインターフェース部４の印刷条件（照明光源情報）と掲示場所情報の印刷方法を選択する画面１１１を示す。印刷条件（照明光源情報）と掲示場所情報を印刷する場合には、「照明光源情報、掲示場所印刷」のチェックボックス１１２を選択すると、「カットして縮小画像印刷」のラジオボタン１１３が有効になる。「カットして縮小画像印刷」のラジオボタン１１３をチェックすると「まとめて縮小画像印刷」のチェックボックス１１４が有効になる。また、画像を連続して印刷する用紙枚数を、入力欄１１５により指定できる。この欄１１５に指定された枚数の印刷を行った後、印刷条件（照明光源情報）と掲示場所が印刷されることになる。
【００５３】
図１２では、図１１のユーザーインターフェース部４で設定した印刷結果を示す。図１１の「カットして縮小画像印刷」のラジオボタンにチェックして、「まとめて縮小画像印刷」のチェックボックスをチェックして、「３枚ごとに印刷」で、以下の印刷を行う。
【００５４】
１枚目の設定は、照明光源情報を「３波長型、５０００Ｋ」とし、掲示場所の情報を「渋谷店  フードコーナー」として印刷する（印刷結果１２５）。続く２枚目の設定は、照明光源情報を「普通型、６０００Ｋ」とし、掲示場所の情報を「渋谷店  入り口」として印刷する（印刷結果１２４）。また、３枚目の設定は、照明光源情報を「普通型、６０００Ｋ」とし、掲示場所の情報を「渋谷店  出口」として印刷する（印刷結果１２３）。
【００５５】
３枚目の印刷後、縮小画像や照明光源情報が印刷される（図中１２２）。なお、図１２に示す例では２枚目と３枚目の画像が共通の印刷条件である。従って２枚目と３枚目の縮小画像が同じとなるため、３枚目の画像が印刷された後、２枚目と３枚目に共通の縮小画像１２６と２枚目、３枚目の照明光源情報、掲示場所が印刷される。続いて、１枚目の縮小画像１２７と照明光源情報、掲示場所が印刷される。
【００５６】
図１３では、印刷関数リプレイ部１０において、図１２の「まとめて縮小画像印刷」に設定して印刷した場合のフローチャートを示す。
【００５７】
Ｓ３１において、プリンタのカット設定コマンドが「カットライン印刷」になるように設定して、Ｓ３２へ移行する。Ｓ３２において、アプリケーションの印刷関数スプールファイル１１を、リプレイ処理部１２でリプレイ処理させて、通常のフチ無し印刷を行い、Ｓ３３へ移行する。
【００５８】
Ｓ３３において、「まとめて縮小画像印刷」がチェックされているかどうかを判別し、チェックされている場合は、Ｓ３４へ移行し、チェックされていない場合は処理を終了する。
【００５９】
Ｓ３４において、縮小処理部１４は印刷関数スプールファイルをメモリにリプレイして縮小画像を作成し、その縮小画像に対して、色処理部１４で照明光源の色処理は行い、Ｓ３５へ移行する。Ｓ３５において、Ｓ３４で作成した縮小画像と印刷条件（照明光源情報）と掲示場所情報のテキストデータを印刷情報ファイル１６に保存してＳ３６へ移行する。
【００６０】
Ｓ３６では印刷情報ファイル１６を検索し、３枚分の縮小画像とテキストデータがあるかどうかを判別し、ある場合にはＳ３７へ移行する。Ｓ３６の判別結果が「否」の場合には処理を終了する。
【００６１】
Ｓ３７において、印刷情報ファイル１６を検索し、３つの縮小画像で同じものがあるかどうかを判別し、ある場合にはＳ３８へ移行する。このステップＳ３７の判別の結果、「否」の場合にはＳ４１へ移行する。
【００６２】
Ｓ３８において、印刷情報ページ作成部１３で、ユーザー定義用紙を作成して、１枚目の縮小画面と照明光源情報、掲示場所と、２枚目の縮小画面と２枚目、３枚目の照明光源情報、掲示場所を印刷する印刷関数を作成して、Ｓ３８へ移行する。
【００６３】
Ｓ３９において、プリンタのカット設定コマンドが「カットライン印刷」になるように設定して、Ｓ４０へ移行する。Ｓ４０において、作成した印刷関数をリプレイ処理部１２でリプレイ処理させて、１枚目の縮小画面と照明光源情報、掲示場所と、２枚目の縮小画面と２枚目、３枚目の照明光源情報、掲示場所を印刷して終了する。
【００６４】
Ｓ４１では、印刷情報ページ作成部１３で、ユーザー定義用紙を作成して、１枚目、２枚目、３枚目のそれぞれの縮小画面と照明光源情報、掲示場所を印刷する印刷関数を作成して、Ｓ３９へ移行する。
【図面の簡単な説明】
【００６５】
【図１】本発明の実施例１における印刷処理システムの概略構成を示すブロック図である。
【図２】印刷条件を設定する画面を説明する概略図である。
【図３】実施例において条件を選択する画面を説明する概略図である。
【図４】実施例における設定印刷条件に基づく印刷結果を説明する概略図である。
【図５】実施例の処理を説明するフローチャートである。
【図６】本発明の実施例２において、印刷処理システムの概略構成を示すブロック図である。
【図７】印刷条件を設定する画面を説明する概略図である。
【図８】実施例における設定印刷条件に基づく印刷結果を説明する概略図である。
【図９】実施例の処理を説明するフローチャートである。
【図１０】本発明の実施例３において、印刷処理システムの概略構成を示すブロック図である。
【図１１】印刷条件を設定する画面を説明する概略図である。
【図１２】実施例における設定印刷条件に基づく印刷結果を説明する概略図である。
【図１３】実施例の処理を説明するフローチャートである。
【符号の説明】
【００６６】
１  アプリケーション１
２  ＯＳ
３  プリンタドライバ
４  ユーザーインターフェース部
５  グラフィックス処理部
６  色処理部
７  描画処理部
８  プリンタコマンド制御部
９  印刷関数スプール処理部
１０  印刷関数リプレイ部
１１  印刷関数スプールファイル
１２  リプレイ処理部
１３  印刷情報ページ作成部
１４  縮小処理部
１５  色処理部
１６  印刷情報ファイル
【図１】
2008146229.tif 000003
【図２】
2008146229.tif 000004
【図３】
2008146229.tif 000005
【図４】
2008146229.tif 000006
【図５】
2008146229.tif 000007
【図６】
2008146229.tif 000008
【図７】
2008146229.tif 000009
【図８】
2008146229.tif 000010
【図９】
2008146229.tif 000011
【図１０】
2008146229.tif 000012
【図１１】
2008146229.tif 000013
【図１２】
2008146229.tif 000014
【図１３】
2008146229.tif 000015